(57)【特許請求の範囲】
【請求項１】
表示画面上に複数の情報項目にそれぞれ対応した複数のキヤラクタを表示すると共に、上記キヤラクタのなかから選択対象のキヤラクタを選択する表示装置であつて、
上記選択対象のキヤラクタが選択された場合には、当該選択対象のキヤラクタ以外のキヤラクタの輝度を低下させる、あるいは色を薄くさせるようにするとともに、
上記キヤラクタを指定するためのカーソルを、上記選択対象のキヤラクタに対応する位置で消去するようにした
ことを特徴とする表示装置。
【発明の詳細な説明】
【０００１】
【目次】
以下の順序で本発明を説明する。
産業上の利用分野
従来の技術（図６）
発明が解決しようとする課題（図６）
課題を解決するための手段（図３）
作用（図３）
実施例（図１〜図５）
発明の効果
【０００２】
【産業上の利用分野】
本発明は表示装置に関し、例えば表示画面上に種々のメニユーを表示し、視聴者がこれを選択設定するようになされた表示装置に適用して好適なものである。
【０００３】
【従来の技術】
従来、テレビジヨン受像機等の表示装置においては、例えば表示画面の明るさ及び色の濃さ等の画面設定をする際に、視聴者のコマンド入力に基づいて表示画面上に当該画面設定のメニユーを表示し、当該メニユーのなかから視聴者が設定しようとする項目を選んでこれを設定するようになされている。
【０００４】
すなわち図６に示すように、視聴者が画面設定のコマンドを指定すると表示画面２上には当該画面設定の項目として「色あい」、「色の濃さ」、「明るさ」及び「シヤープネス」の文字が表示される。
【０００５】
ここで当該項目の左側にはカーソルＣＳＬ１が表示され、このカーソルＣＳＬ１を視聴者によるカーソル移動コマンドに基づいて上下方向に移動させることにより、視聴者はこれから設定しようとする項目を選択するようになされている。
【０００６】
従つて例えば項目「色の濃さ」を設定しようとする場合、視聴者は当該項目の左側にカーソルＣＳＬ１を移動し、実行コマンドを指定することにより当該表示装置を色の濃さを設定するモードに制御するようになされている。
【０００７】
【発明が解決しようとする課題】
ところがこのような方法によつて所定の項目を表示する場合、比較的小さなカーソルＣＳＬ１によつて指示していることにより、視聴者は現在選択されている項目を直ちに把握し得ない問題があつた。
【０００８】
またカーソルＣＳＬ１を所定の項目に移動した状態及び当該カーソルＣＳＬ１によつて指定した項目を実行コマンドによつて実際に実行させた状態のいずれの状態においても、表示画面２上の画像は変化せず、視聴者はカーソルＣＳＬ１によつて指定されている項目が実行モードであるか否かを判別し得ない問題があつた。
【０００９】
本発明は以上の点を考慮してなされたもので、視聴者が選択した項目を一段と明確に認識し得ると同時に、選択された項目が実行モードにあるか否かを直ちに把握し得る表示装置を提案しようとするものである。
【００１０】
【課題を解決するための手段】
かかる課題を解決するため本発明においては、表示画面１１Ａ上に複数の情報項目にそれぞれ対応した複数のキヤラクタＩＴＭ１〜ＩＴＭ１５を表示すると共に、当該キヤラクタＩＴＭ１〜ＩＴＭ１５のなかから選択対象のキヤラクタを選択する表示装置１０であつて、選択対象のキヤラクタが選択された場合には、当該選択対象のキヤラクタ以外のキヤラクタの輝度を低下させる、あるいは色を薄くさせるとともに、キヤラクタを指定するためのカーソルＣＳＬ２、ＣＳＬ３を、当該選択対象のキヤラクタに対応する位置で消去する。
【００１１】
【作用】
表示画面１１Ａ上に表示された複数のキヤラクタＩＴＭ１〜ＩＴＭ１５のうち選択対象のキヤラクタが選択された場合には、当該選択対象のキヤラクタ以外の輝度を低下させる、又は色を薄くさせるとともに、キヤラクタを指定するためのカーソルＣＳＬ２、ＣＳＬ３を、当該選択対象のキヤラクタに対応する位置で消去するようにしたことにより、選択対象のキヤラクタのみを明確に表示し得、これにより視聴者は必然的に選択項目のみを容易に認識することができる。
【００１２】
【実施例】
以下図面について、本発明の一実施例を詳述する。
【００１３】
図１において１０は全体として表示装置を示し、視聴者が設定したコマンドに基づいてマイクロコンピユータ構成のキヤラクタ出力制御回路１３から所定の文字、絵及び数字等のキヤラクタを表すキヤラクタ映像信号ＳＶ１を出力するようになされている。
【００１４】
すなわち図２に示すように、表示装置１０に対して遠隔操作をし得るようになされたリモートコマンダ１６の各操作キー１６Ａ〜１６Ｄを視聴者が操作することにより、リモートコマンダ１６は当該操作された操作キーに応じたコマンド信号を変調し、これを赤外光に変換して表示装置１０側に送出する。
【００１５】
表示装置１０は当該赤外光を受光部１７において受光し復調すると共に、判別することより、視聴者が指定したコマンドに基づいてキヤラクタ出力制御回路１３から所定の文字、絵及び数字等のキヤラクタを表すキヤラクタ映像信号ＳＶ１を続く減衰処理回路１４（図１）を介して合成回路１５に送出する。
【００１６】
合成回路１５は例えばチユーナによつて受信され、復調された放送番組の映像信号ＳＶ２を入力し、当該映像信号ＳＶ２にキヤラクタ映像信号ＳＶ１を合成することにより合成映像信号ＳＣＯＭを得、これを続くＣＲＴ（陰極線管）１１に送出することにより、当該ＣＲＴ１１の表示画面１１Ａ上に番組映像及びキヤラクタを合成して表示するようになされている。
【００１７】
またキヤラクタ出力制御回路１３は、表示画面１１Ａのすべての領域に亘つて表示されている番組映像のうち、キヤラクタを表示するようになされた合成領域の番組映像の輝度を低下させると共に色合を薄くする（これをハーフトーン処理と呼ぶ）ようになされた背景色ハーフトーン信号ＳＹＭを合成回路１５に送出することにより、番組映像のうちキヤラクタが表示される領域をハーフトーン処理するようになされている。
【００１８】
ここでキヤラクタ出力制御回路１３は、視聴者によつて設定メニユー表示のコマンドが指定されると、図３（Ａ）に示すようなモード設定メニユーＭＮＵ１を表わすキヤラクタをＣＲＴ１１の表示画面１１Ａ上に表示させる。
【００１９】
このモード設定メニユーＭＮＵ１は、表示装置１０の機能状態を設定するための種々の設定モードとして例えば画面モードを設定するようになされた「画面モード」、二重音声モードを指定するようになされた「二重音声」、種々の映像ソースに対して所定の映像ソースを指定する「入力切換」、映像モードを指定する「映像モード」、音声モードを指定する「音声モード」、表示画面の状態を設定する「Ｖパレツト」、音声の状態を設定する「Ａパレツト」等、種々の設定項目をそれぞれ項目キヤラクタＩＴＭ１、ＩＴＭ２、……として表示する。
【００２０】
ここで当該設定メニユーＭＮＵ１の左側にはカーソルＣＳＬ２が表示され、視聴者はリモートコマンダ１６（図２）の上下操作キー１６Ａ及び１６Ｂを操作することにより、カーソルＣＳＬ２を上下に移動させ、これから設定しようとする項目の左側に当該カーソルＣＳＬ２を移動した後、リモートコマンダ１６の実行キー１６Ｃを操作することにより、当該カーソルＣＳＬ２によつて指定した項目が実行される。
【００２１】
従つて例えば視聴者が表示画面の表示状態を設定しようとする場合、当該設定項目としての項目キヤラクタ「Ｖパレツト」（ＩＴＭ６）の左側にカーソルＣＳＬ２を移動させる（図３（Ａ））。
【００２２】
ここで視聴者がリモートコマンダ１６（図２）の実行キー１６Ｃを操作すると、表示装置１０は当該項目「Ｖパレツト」として表示画面の表示状態を設定するようになされた「Ｖパレツト」実行モードに制御されると共に、図３（Ｂ）に示すように表示画面１１Ａ上に表示された設定メニユーＭＮＵ１のうち指定された項目「Ｖパレツト」の項目キヤラクタＩＴＭ６以外のすべての項目キヤラクタＩＴＭ１、ＩＴＭ２、ＩＴＭ３、ＩＴＭ４、ＩＴＭ５、ＩＴＭ７、ＩＴＭ８及びＩＴＭ９がその輝度を減じて暗くなるようになされている。
【００２３】
すなわち図１においてキヤラクタ出力制御回路１３は設定メニユーＭＮＵ１を表示するためのキヤラクタ映像信号ＳＶ１のうち、項目「Ｖパレツト」の項目キヤラクタＩＴＭ６以外の項目キヤラクタＩＴＭ１〜ＩＴＭ５及びＩＴＭ７〜ＩＴＭ９を表示するキヤラクタ映像信号ＳＶ１に対して、キヤラクタハーフトーン信号ＳＩＮＴを減衰処理回路１４に送出することにより、当該キヤラクタ映像信号ＳＶ１の信号レベルを減少させる。
【００２４】
またこれと同時にキヤラクタ出力制御回路１３はモード設定メニユーＭＮＵ１のなかのカーソルＣＳＬ２を消去する。
【００２５】
従つて表示画面１１Ａ（図３（Ｂ））上においては、視聴者が実行キー１６Ｃによつて指定した項目キヤラクタＩＴＭ６だけが明確に表示されると共にカーソルＣＳＬ２が消えることにより、視聴者は表示画面１１Ａを見ただけで項目「Ｖパレツト」が指定され、さらに当該項目「Ｖパレツト」が実行モード状態にあることを把握し得る。
【００２６】
またこのとき（すなわち視聴者が実行キー１６Ｃを操作したとき）、キヤラクタ制御回路１３は表示画面１１Ａ（図３（Ｂ））において、モード設定メニユーＭＮＵ１の右側に設定メニユーＭＮＵ２を表示させる処理を実行する。
【００２７】
この設定メニユーＭＮＵ２は、表示画面１１Ａの状態を設定するモード「Ｖパレツト」のなかの詳細項目として、ピクチヤーレベルを調整する項目「ピクチヤー」、色あいを調整する項目「色あい」、色の濃さを調整する項目「色の濃さ」、輝度を調整する「明るさ」及び鮮明度を調整する「シヤープネス」の各調整項目がそれぞれ項目キヤラクタＩＴＭ１１、ＩＴＭ１２、ＩＴＭ１３、ＩＴＭ１４及びＩＴＭ１５として表示されるようになされている。
【００２８】
すなわち、キヤラクタ出力制御回路１３は視聴者がモード設定メニユーＭＮＵ１の項目「Ｖパレツト」を選択して実行キー１６Ｃを操作したとき図４に示すメニユー表示処理手順ＲＴ１に入り、ステツプＳＰ１において調整項目を指示するようになされたカーソルＣＳＬ３（図３（Ｂ））をセツトした後、ステツプＳＰ２において各調整項目の文字、絵及び数字等でなる項目キヤラクタＩＴＭ１１、ＩＴＭ１２、ＩＴＭ１３、ＩＴＭ１４及びＩＴＭ１５をセツトし、さらに続くステツプＳＰ３においてセツトされた各項目キヤラクタＩＴＭ１１、ＩＴＭ１２、ＩＴＭ１３、ＩＴＭ１４及びＩＴＭ１５の輝度を  １００％にセツトすると共に項目に応じて予め決められている色をセツトする。
【００２９】
このようにして各項目キヤラクタＩＴＭ１１、ＩＴＭ１２、ＩＴＭ１３、ＩＴＭ１４及びＩＴＭ１５の表示条件をセツトした後、続くステツプＳＰ４において当該表示条件に応じた所定の原色信号でなるキヤラクタ映像信号ＳＶ１を出力することにより、図３（Ｂ）に示すように表示画面１１Ａ上に項目キヤラクタＩＴＭ１１、ＩＴＭ１２、ＩＴＭ１３、ＩＴＭ１４及びＩＴＭ１５を表示すると共に、当該項目キヤラクタの左側にカーソルＣＳＬ３を表示する。
【００３０】
またこれと同時にキヤラクタ出力制御回路１３は合成回路１５に背景色ハーフトーン信号ＳＹＭを送出することにより、設定メニユーＭＮＵ２の背景に表示されている映像をハーフトーン処理する。
【００３１】
さらにキヤラクタ出力制御回路１３は、ステツプＳＰ５に移つていずれかの調整項目が決定されたか否かを判断する。
【００３２】
ここで否定結果が得られると、このことは視聴者がリモートコマンダ１６の実行キー１６Ｃを操作していないことを表しており、キヤラクタ出力制御回路１３は続くステツプＳＰ６に移つていずれかの調整項目が選択されたか否かを判断する。
【００３３】
ここで肯定結果が得られると、このことは視聴者がリモートコマンダ１６の上下操作キー１６Ａ又は１６Ｂを操作したことを表しており、キヤラクタ出力制御回路１３は続くステツプＳＰ７に移つて当該視聴者の操作に応じて表示画面１１Ａ上のカーソルＣＳＬ３を上下方向に移動させ、視聴者の指定した項目キヤラクタの左側に表示した後、ステツプＳＰ５に戻つて、このときカーソルＣＳＬ３が指示している調整項目に対して視聴者が実行キー１６Ｃを操作するのを待ち受ける。
【００３４】
これに対してステツプＳＰ６において否定結果が得られると、このことは視聴者がリモートコマンダ１６の上下操作キー１６Ａ又は１６Ｂを操作していないことを表しており、このときキヤラクタ出力制御回路１３は上述のステツプＳＰ５に戻つて、このときカーソルＣＳＬ３が指示している調整項目に対して視聴者が実行キー１６Ｃを操作するのを待ち受ける。
【００３５】
これに対してステツプＳＰ５において肯定結果が得られると、このことはカーソルＣＳＬ３が指示している調整項目に対して視聴者が実行キー１６Ｃを操作して実行モードを指定したことを表しており、このときキヤラクタ出力制御回路１３は続くステツプＳＰ８に移つてカーソルＣＳＬ３を消去すると共に、続くステツプＳＰ９に移つて、選択されなかつた他の調整項目の項目キヤラクタの輝度を下げる処理を実行し、ステツプＳＰ１０において当該メニユー表示処理手順ＲＴ１を終了する。
【００３６】
この実施例の場合、例えば視聴者が表示画面の色の濃さを調整しようとして、当該調整項目「色の濃さ」の項目キヤラクタＩＴＭ１３の左側にカーソルＣＳＬ３を移動し（図３（Ｂ））、この状態においてリモートコマンダ１６（図２）の実行キー１６Ｃを操作すると、表示装置１０は当該調整項目「色の濃さ」として表示映像の色の濃さを調整するモードを実行すると共に、キヤラクタ出力制御回路１３は設定メニユーＭＮＵ２を表示するためのキヤラクタ映像信号ＳＶ１（図１）のうち、調整項目「色の濃さ」の項目キヤラクタＩＴＭ１３以外の項目キヤラクタＩＴＭ１１、ＩＴＭ１２、ＩＴＭ１４及びＩＴＭ１５を表示するキヤラクタ映像信号に対して、キヤラクタハーフトーン信号ＳＩＮＴを減衰処理回路１４に送出することにより、当該キヤラクタ映像信号の信号レベルを減少させる。
【００３７】
従つて図３（Ｃ）に示すように、表示画面１１Ａ上においては、設定メニユーＭＮＵ２のうち視聴者が実行キー１６Ｃによつて指定した調整項目「色の濃さ」の項目キヤラクタＩＴＭ１３以外のすべての調整項目キヤラクタＩＴＭ１１、ＩＴＭ１２、ＩＴＭ１４及びＩＴＭ１５がその輝度を減じて暗くなり、視聴者が指定した項目キヤラクタＩＴＭ１３だけが明確に表示されると共に、カーソルＣＳＬ３が消えることにより、視聴者は表示画面１１Ａを見ただけで調整項目「色の濃さ」が指定され、さらに当該項目「色の濃さ」が実行モード状態にあることを把握し得る。
【００３８】
従つてこの状態において視聴者はリモートコマンダ１６の上下操作キー１６Ａ及び１６Ｂを操作することにより、色の濃さのレベルを調整することができ、このとき項目キヤラクタＩＴＭ１３のレベル表示を表す絵及び数字「５０」が設定レベルに応じて変化する。
【００３９】
以上の構成において、表示装置１０は表示画面１１Ａ上に表示されている設定メニユーＭＮＵ２の複数の項目キヤラクタＩＴＭ１１〜ＩＴＭ１５がすべて同じ輝度で表示され、さらに当該設定メニユーＭＮＵ２にカーソルＣＳＬ３が表示されているとき、視聴者は当該表示されている複数の項目のなかから所望の項目を選択する選択モード状態であることを認識し得る。
【００４０】
またこれに対して表示画面１１Ａ上に表示されている設定メニユーＭＮＵ２の複数の項目キヤラクタＩＴＭ１１〜ＩＴＭ１５のうち、実行選択されたいずれか１つの項目キヤラクタ（この実施例の場合ＩＴＭ１３）を残して、他の項目キヤラクタが暗く表示されると共に当該設定メニユーＭＮＵ２上からカーソルＣＳＬ３が消去されているとき、表示装置１０は視聴者に対して当該選択された項目キヤラクタＩＴＭ１３だけを明瞭に認識させることができ、これにより視聴者は当該明瞭に表示されている唯一の項目キヤラクタＩＴＭ１３によつて表される調整項目「色の濃さ」が実行モード状態であることを認識することができる。
【００４１】
従つて視聴者は表示画面１１Ａを見ただけで、表示装置１０の現在のモード状態を直ちに把握することができる。
【００４２】
以上の構成によれば、表示画面１１Ａ上に表示された複数の項目キヤラクタのうち、選択された特定の項目キヤラクタだけを明瞭に表示するようにしたことにより、視聴者に対して当該特定の項目キヤラクタだけを明確に認識させることができる。
【００４３】
また実行モード時においてカーソルＣＳＬ３を消去したことにより、視聴者は選択された項目が実行モードにあるか否かを直ちに把握することができる。
かくするにつき視聴者の使い勝手を一段と向上し得る。
【００４４】
なお上述の実施例においては、選択されなかつた項目キヤラクタＩＴＭ１１、ＩＴＭ１２、ＩＴＭ１４及びＩＴＭ１５の輝度を下げた場合について述べたが、本発明はこれに限らず、図５に示すように選択されなかつた項目キヤラクタＩＴＭ１１、ＩＴＭ１２、ＩＴＭ１４及びＩＴＭ１５を完全に消去するようにしても良い。
【００４５】
この場合、当該項目キヤラクタＩＴＭ１１、ＩＴＭ１２、ＩＴＭ１４及びＩＴＭ１５の表示領域にいわゆる「カラ文字」と呼ばれる文字、絵及び数字等が透明なキヤラクタを挿入するようにすれば良い。
【００４６】
また上述の実施例においては、選択された項目キヤラクタ以外の他の項目キヤラクタの輝度を下げた場合について述べたが、本発明はこれに限らず、色を変えたり又は色を薄くする等の手法を用いても良い。
【００４７】
また上述の実施例においては、表示画面上のモード設定メニユーＭＮＵ１及びＭＮＵ２の配置を図３（Ｂ）に示すようにした場合について述べたが、本発明はこれに限らず、種々の配置によつてこれらを表示するようにしても良い。
【００４８】
また上述の実施例においては、モード設定メニユーＭＮＵ１を表示した後、設定メニユーＭＮＵ２を表示した場合について述べたが、本発明はこれに限らず、一方の設定メニユーだけを表示する場合においても本発明を適用し得る。
【００４９】
また上述の実施例においては、表示画面の状態を調整する「Ｖパレツト」モードについて述べたが、本発明はこれに限らず、他の種々のモードについてもこれを適用することができる。
【００５０】
また上述の実施例においては、設定メニユーＭＮＵ１及びＭＮＵ２の表示領域において、背景に表示されている映像をハーフトーン処理した場合について述べたが、本発明はこれに限らず、キヤラクタ出力制御回路１３から出力される背景色ハーフトーン信号ＳＹＭに代えて、背景色消去信号ＳＹＳ（図１）を出力することにより、設定メニユーＭＮＵ１及びＭＮＵ２の表示領域において背景映像を消去するようにしても良い。
【００５１】
また上述の実施例においては、表示画面としてＣＲＴを用いた場合について述べたが、本発明はこれに限らず、プロジエクタ装置など他の種々の表示画面を用いるようにしても良い。
【００５２】
さらに上述の実施例においては、背景映像としてチユーナによつて受信された放送番組の映像を表示する場合について述べたが、本発明はこれに限らず、例えばビデオテープレコーダによつて再生された映像等、他の種々の映像を表示する際に広く適用することができる。
【００５３】
【発明の効果】
上述のように本発明によれば、表示画面上に複数の情報項目にそれぞれ対応した複数のキヤラクタを表示すると共に、当該キヤラクタのなかから選択対象のキヤラクタを選択する表示装置であつて、選択対象のキヤラクタが選択された場合には、当該選択対象のキヤラクタ以外の輝度を低下させる、あるいは色を薄くさせるとともに、キヤラクタを指定するためのカーソルを、当該選択対象のキヤラクタに対応する位置で消去するようにしたことにより、選択対象のキヤラクタのみを明確に表示し得、これにより視聴者は必然的に選択項目のみを容易に認識することができる。
【図面の簡単な説明】
【図１】本発明による表示装置の一実施例を示すブロツク図である。
【図２】リモートコマンダによる操作を示す略線図である。
【図３】本発明によるメニユー表示の一実施例を示す略線図である。
【図４】本発明によるメニユー表示処理手順を示すフローチヤートである。
【図５】他の実施例を示す略線図である。
【図６】従来のメニユー表示を示す略線図である。
【符号の説明】
１０……表示装置、１１……ＣＲＴ、１１Ａ……表示画面、１３……キヤラクタ出力制御回路、１５……合成回路、１６……リモートコマンダ、ＭＮＵ１、ＭＮＵ２……設定メニユー、ＩＴＭ１、ＩＴＭ２、ＩＴＭ３、ＩＴＭ４、ＩＴＭ５、ＩＴＭ６、ＩＴＭ７、ＩＴＭ８、ＩＴＭ９、ＩＴＭ１１、ＩＴＭ１２、ＩＴＭ１３、ＩＴＭ１４、ＩＴＭ１５……項目キヤラクタ。
【図１】
0003581370.tif 000002
【図２】
0003581370.tif 000003
【図３】
0003581370.tif 000004
【図４】
0003581370.tif 000005
【図５】
0003581370.tif 000006
【図６】
0003581370.tif 000007